【事件の表示】
　平成　４年特許願第　４２８７４号「映像信号記録再生装置および映像信号のフィールド間引き方法および映像記録媒体」拒絶査定に対する審判事件［平成　５年　９月２１日出願公開、特開平　５−２４４５５６］について、次のとおり審決する。
【結　論】
　本件審判の請求は、成り立たない。
【理　由】
１　手続きの経緯・本願発明の要旨
　本願は、平成４年２月２８日の出願であって、その請求項４に係る発明は、平成１１年２月２４日付けの手続補正書により補正された明細書及び図面の記載からみて、その特許請求の範囲の請求項４に記載された次のとおりのものと認める。
「請求項４　第１記録媒体と第２記録媒体とが一体化された記録媒体であることを特徴とする請求項１または２記載の映像信号記録再生装置。」
　ところで、請求項１は「第１映像信号を所定の間隔で間引くことにより画像枚数の低減された第２映像信号を作成する間引き手段と、前記第１映像信号を第１記録媒体に記録する第１記録手段と、前記第２映像信号を第２記録媒体に記録する第２記録手段とを備えたことを特徴とする映像信号記録再生装置。」であり、また請求項２は
「第１映像信号の記録された第１記録媒体より前記第１映像信号を再生する第１再生手段と、前記第１映像信号を所定の間隔で間引くことにより画像枚数の低減された第２映像信号を作成する間引き手段と、前記第２映像信号を第２記録媒体に記録する第２記録手段とを備えたことを特徴とする映像信号記録再生装置。」であるから、請求項４は以下の通りのものである。
「第１映像信号を所定の間隔で間引くことにより画像枚数の低減された第２映像信号を作成する間引き手段と、前記第１映像信号を第１記録媒体に記録する第１記録手段と、前記第２映像信号を第２記録媒体に記録する第２記録手段とを備えたことを特徴とする映像信号記録再生装置であって、第１記録媒体と第２記録媒体とが一体化された記録媒体であるもの、または、第１映像信号の記録された第１記録媒体より前記第１映像信号を再生する第１再生手段と、前記第１映像信号を所定の間隔で間引くことにより画像枚数の低減された第２映像信号を作成する間引き手段と、前記第２映像信号を第２記録媒体に記録する第２記録手段とを備えたことを特徴とする映像信号記録再生装置であって、第１記録媒体と第２記録媒体とが一体化された記録媒体であるもの。」
　
２　引用例の記載
　これに対して、原査定の拒絶の理由に引用した特開昭６１−６６２７８号公報（以下、引用例という）には、下記の事項が記載されている。
「 この発明は映像記録再生装置、特に、記録媒体に記録された画像情報から複数個の画像情報を選択し、この複数個の画像情報から新たな１個の画像情報に編集して再生を有し、編集された画像情報を再度記録媒体に書込むことにより、記録媒体の内容検索を容易にする、映像記録再生装置に関する。」（第１頁右下欄第６行乃至第１２行）
「従来のＶＴＲは上述のように構成されているので、磁気テープに記録されている画像情報（映像信号）を再生するとき、磁気テープのどの位置にどのような内容の画像情報がいるかがわからなかった。したがって、目的とする画像が再生するには、磁気テ−プの最初から高速再生モードなどで順次再生しななければならず、長い時間と煩わしい操作が必要であるなどの欠点があった。
　この発明の目的は、上述の欠点を除去し、記録媒体に記録された画像の検索を非常に簡便にした装置を提供することができる。」（第３頁右上欄第３行乃至第１４行）
　
「第２図はこの発明の一実施例である磁気記録再生装置（ＶＴＲ）具体的構成を示すブロック図である。第２図において、第６図の従来のＶＴＲに、新たに映像信号を編集して記憶するためにフレームメモリで構成される映像信号メモリブロック３１と、編集動作モード時に、システムコントロールブロック（第２図において図示せず）５０からの信号により切換制御される第１の信号切換スイッチ３２１、３２２ と、第２の信号切換スイッチ３３１、３３２とが新たに設けられる。映像信号メモリブロック３１は映像信号に含まれる輝度信号成分を記憶する輝度信号メモリ３１１と、映像信号に含まれる色信号成分を記憶する色信号メモリ３１２とを含む。」（第３頁右下欄第５行乃至第１８行）
　
「第４図はこの発明の一実施例における磁気テープ上に記録された画像情報のうちメモリに書込まれる画像情報の磁気テ−プ上の位置を示す図である。第４図において、磁気テ−プ１の始端から磁気テープの走行方向に距離Ｓ離れた位置にあるトラック１１と、トラック１１から一定の距離ｌ（エル）ごとに位置するトラック１２〜１９とに記録されている画像情報がこの順にメモリの各記録ブロック１１１乃至１１９に書込まれる。この９個の小画面からなる１画面（１フィールド）は磁気テ−プ１上を長さｌ（エル）の等間隔でサンプルした９個の記録内容を１画面に編集したもので、テープの内容を概観するための、“目次用画面”と言うことができる。
第５図は映像信号メモリに書込まれた画像情報を磁気テープに書込む位置を示す図である。第５図において、映像信号メモリブロック３１で編集された画像情報は磁気テープ１の始端１０とトラック１１との間の位置にある適当な数のトラック　で構成されるトラック群２１に記録される。」（第４頁左上欄１６行乃至右上欄第１５行）
「トラック１１になったところでモード選択スイッチ２６ を制御してＶＴＲを再生モードにする。メモリブロック３１は書込モードになっているので、輝度信号はＦＭ復調器２４５を介して輝度信号メモリ３１１に、色信号は低域信号通過フィル夕２４６の出力から色信号メモリ３１２にそれぞれ書込まれる。このとき各信号はメモリ形式に適した信号形態に変換され、圧縮処理を受けて各メモリ３１１、３１２の小画面領域の対応するメモリ番地に書込まれる。トラック１１に記録されている画像情報は１／３（面積比１／９縮小）されて第３図の記録ブック１１１に記録される。この元の画像情報を面積比］１／９の画像縮小方法はたとえば、１個の画像が構成する画素数はうち縦１／３、横１／３の画素数だけ“間引いて”記憶する。トラック１１に書込まれている画像情報の再生が終了（メモリ３１への書込みが終了）すれば次に、システムコントロ−ルブロック５０からの指令によりＶＴＲは早送りモードとなり、一定の距離ｌ（エル）だけ移動し、磁気テ−ブ１のトラック１２の位置で再び再生モードとなり、トラック１２に記録されている画像情報が面積比１／９に縮小されては記憶ブロック１１２に書込まれる。この早送りモード・再生モードを繰り返して磁気テープ１の一定間隔１（エル）ごとに９個の画像情報が各記憶ブロック１１１乃至１１９のそれぞれに順次書込まれる。９個の画像情報が圧縮されて各メモリ３１１、３１２に書込まれれば、コント口−ルブロック５０からの指令によりＶＴＲは巻戻しモードとなり、磁気テープ１は巻戻される。このとき、映像信号メモリブロック３１を読出モードとし、再生系２４に含まれる第１の信号切換スイッチ３２２、３２２を第２図のｄ側に接続する（このモード変換およびスイッチ３２１，３２２の信号切換制御はコントロ−ルブロック５０により行なわれる）と、メモリ３１１、３１２からの信号が出力端子２４９に与えられ、モニタテレビに接続すれば第３図に示されるような９個の画像情報からなる１枚の画像が得られる。磁気テ−プ１が巻戻され、テ−ブエンド検出装置４０により巻戻しが完了したと検知されれば、システムコントロールブロック５０はモード選択スイッチ２６へ記録指令を与えてＶＴＲを記録モ−ドとする。また、記録系２１に含まれる信号切換スイッチ３３１および３３２を第２図のｆ側に切換える。メモリ３１１と３１２は読出モ−ドとなっているので、メモリの画像信号は輝度信号成分はＦＭ復調器２１４へ、色信号成分は低域変換器２１５へ与えられ、加算器２１６，切換スイッチ２２（第２図のＡ側に接続されている）、ロ―タリトランス２３および 磁気テープ１を介して磁気テープ１へ与えられる。システムコントロールブロック５０はチープ走行量検装置４１からのテープ走行距離情報を受けて磁気テ−プ１上の適当な数のトラックからなるトラック群２１にメモリ３１に記憶されている情報を書込む。」（第４頁左下欄１４行乃至乃至第５頁右上欄第１０行）
「また、上記実施例では検索を簡便にする“目次用画面”について示したが、サンプル間隔をトラック間隔程度にまで短くすれは連続ショットの編集、表示用にも利用することができる。」（第５頁右下欄第４行乃至第７行）
　
３　対比
　本願の請求項４の発明（以下、前者という）と上記引用例１記載のもの（以下、後者という）を比較すると、両者は、いずれも映像信号記録再生装置である。そして両者を対比すると、以下の通りである。
（１）本願の第１映像信号は磁気テープに記録されたものであるから、引用例の磁気テープに記録された画像信号に相当する。
（２）引用例において一定間隔ｌ（エル）毎にテープを再生しこれを映像信号メモリブロック３１に記録しているのであるから、これは元のテープに記録してある信号から間引いているのであるから、一定間隔飛ばして再生する構成は間引き手段に相当する。そしてこうして間引いて得られる信号は第２信号に相当する。
（３）このようにして得られた第２信号は再度テープのトラック群２１に記録されるのであるからこれは第２記録手段に相当する。
　そうすると、両者は、「第１映像信号を所定の間隔で間引くことにより画像枚数の低減された第２映像信号を作成する間引き手段と、前記第１映像信号を第１記録媒体に記録する第１記録手段と、前記第２映像信号を記録媒体に記録する第２記録手段とを備えたことを特徴とする映像信号記録再生装置」である点で一致するが、前者は、「第２信号を記録する記録媒体が第２記録媒体であって、第１記録媒体と第２記録媒体とが一体化された記録媒体であるもの。」であるのに対して、後者は第２信号を記録する記録媒体が第１記録媒体である点で相違している。
　
４　相違点についての判断
　上記相違点について検討するに、「第１記録媒体と第２記録媒体とが一体化された記録媒体であるもの」については、必ずしも明確なものとはいえないが、明細書の詳細な説明に依れば、本願発明の実施例として「また、上記実施例において、第１の領域と第２の領域はともに映像信号を記録、再生する領域であり、記録フォーマット上特別な区別は必要ない。　すなわち、通常の記録再生装置で第１の領域、第２の領域を区別なく記録再生できるものであった。」（明細書第００５１段落）と記載されており、引用例の「第２信号を記録する記録媒体が第１記録媒体」である場合を包含するものと解せられる。
　そうすると、本願発明は引用例のものから容易に想到されたものと認められる。よって、その余の点について判断するまでもなく、本願発明は特許を受けることができない。
　
５　むすび
　したがって、本願の発明は、上記引用例に記載された発明に基づいて当業者が容易に発明をすることができたものであるから、特許法第２９条第２項の規定により特許を受けることができない。
　よって、結論のとおり審決する。